(57)【要約】【課題】まな板を起立状態で自立させるスタンドを実現する。【解決手段】上面にまないたの端面を挿入するための溝Ｍが設けられ、ここにまないたが挿入されて起立するまな板用スタンドにおいて、溝の左右壁を２つの部材１Ａ、１Ｂに振り分け、これらの２つの部材を左右に拡縮することにより溝の間隔を可変とする。【選択図】      図１
2004187740.tif 000002
【特許請求の範囲】
【請求項１】
上面にまないたの端面を挿入するための溝が設けられ、ここにまないたが挿入されて起立するまな板用スタンドにおいて、溝の左右壁を２つの部材に振り分け、これらの２つの部材を左右に拡縮することにより溝の間隔を可変としたことを特徴とするまな板用スタンド。
【請求項２】
スタンドを、一対のスタンド片により厚み方向に分割すると共に、それぞれのスタンド片に他方のスタンド片に向けたＬ字状の切り欠きを設けることにより、互いの切り欠きの下辺箇所により溝の底部を、立ち上がり辺箇所により溝の左右壁を構成し、長孔とこれに摺動自在に嵌入される嵌入突起によりそれぞれのスタンド片同士を拡縮方向に摺動自在に結合した請求項１記載のまな板用スタンド。
【請求項３】
スタンドを、スタンド基部とこのスタンド基部の左右に振り分けられる一対のスタンド片に分割すると共に、スタンド基部の中央箇所の高さを、それぞれのスタンド片の中央側の端面より下方に位置させることにより、スタンド基部の中央箇所上面により溝の底部を、一対のスタンド辺の中央側の端面により溝の左右壁を構成し、長溝とこれに摺動自在に嵌入される嵌入突起によりスタンド基部に対し一対のスタンド片を拡縮方向に摺動自在に結合した請求項１記載のまな板用スタンド。
【請求項４】
スタンドを、スタンド基部とこのスタンド基部の左右に振り分けられる一対のスタンド片に分割すると共に、スタンド基部の高さをそれぞれのスタンド片の中央側の端面より下方に位置させることにより、スタンド基部の中央箇所上面により溝の底部を、一対のスタンド辺の中央側の端面により溝の左右壁を構成し、スタンド基部の上面に突設した複数個の突起間に一対のスタンド片の下方に突設させる脚部を嵌入することにより、一対のスタンド片を任意の拡縮位置においてスタンド基部に結合自在とした請求項１記載のまな板用スタンド。
【発明の詳細な説明】
【０００１】
【発明の属する技術分野】
この発明はまな板を起立状態に保つためのスタンドに関する。
【０００２】
【従来の技術】
雑菌が生じやすいまな板を清潔に保つためには、使用後に収納場所に収納する前に十分な水切りを行うと共に乾燥させることが必要である。そのため、まな板の端面を上下に向けた起立状態でしばらく載置することが推奨されている。
【０００３】
この場合、一般的には壁面等にまな板を立てかけることが行われているが、ちょっとした外力により転倒のおそれがあったり、他の物品の邪魔になったりしがちなので、任意の箇所に起立状態で自立させる工夫が望まれていた。
【０００４】
【発明が解決しようとする課題】
前記の場合、例えば皿立てのようなスタンドを用いてまな板を起立することは当業者であれば容易に思いつくところである。しかしながら、この場合は水切り後にまな板を収納する際にスタンドも別途収納しなくてはならない煩わしさがあった。
【０００５】
そのため、回動する脚片をまな板本体に設けたスタンド付きまな板が従来提案されていた（例えば、特開昭５７−８４０２２、特開平５−２７７０３６、特開平９−２１５６１５、実用新案登録第３０５６７８６号等）。これらの発明によればスタンドの収納の問題は解消されるが、回動する脚片とまな板本体には回動箇所において常に摺接する隙間部分が存することから、雑菌が繁殖しないようにこの隙間部分を十分に洗浄する困難な作業が必要となる問題があった。
【０００６】
一方、以上の問題点を解消するために、上面にまないたの端面を挿入するための溝が設けられ、ここにまないたが挿入されて起立するまな板用スタンドが提案されている（公知例としては登録意匠第１１４８１２３号公報）。しかしながら、上記まな板用スタンドは予め対象とするまな板の厚みに合致した溝幅を有するものを揃えなければならない不便さがあった。
【０００７】
【課題を解決するための手段】
この発明は以上の従来技術の問題点を解消するスタンドを提供することを目的として創作されたものであり、上面にまないたの端面を挿入するための溝が設けられ、ここにまないたが挿入されて起立するまな板用スタンドにおいて、溝の左右壁を２つの部材に振り分け、これらの２つの部材を左右に拡縮することにより溝の間隔を可変としたことを特徴とする。
【０００８】
【発明の実施の形態】
以下、この発明の具体的実施例を添付図面に基づいて説明する。図１乃至図６はこの発明のまな板用スタンドの第１実施例を示す図である。この実施例においては、スタンドを、プラスチック製の一対のスタンド片１Ａ、１Ｂにより厚み方向に分割すると共に、それぞれのスタンド片に他方のスタンド片に向けたＬ字状の切り欠き４Ａ、４Ｂを設けることにより、互いの切り欠きの下辺箇所によりまないたの端面を挿入するための溝Ｍの底部を、立ち上がり辺箇所により溝の左右壁を構成する。
【０００９】
スタンド片１Ａ（１Ｂ）は一側の高さを低く、他側の高さを高くした、低部側２Ａ（２Ｂ）と高部側３Ａ（３Ｂ）の組み合わせとすることにより、両者の高低差によりＬ字状の切り欠き４Ａ（４Ｂ）を実現するものであり、同一形状のものを向かい合わせに厚み方向に重合することにより互いのＬ字状の切り欠き４Ａ、４Ｂ間に溝Ｍを構成する。そして、低部側２Ａ（２Ｂ）の裏面に嵌入突起５Ａ（５Ｂ）を突設すると共に、高部側３Ａ（３Ｂ）の全長方向に長孔７Ａ（７Ｂ）を設け、両スタンド片の重合時にこれらを摺嵌させることにより、スタンド片同士を拡縮方向に摺動自在に結合する手段としている。
【００１０】
一方、前記の長孔７Ａ（７Ｂ）の内周壁より波状の凸部８Ａ（８Ｂ）を連続的に突設することにより狭窄部を設けると共に、嵌入突起５Ａ（５Ｂ）に強圧力をもって上記狭窄部を通過可能な小径部６Ａ（６Ｂ）を設けることにより、スタンド片同士の拡縮方向の摺動にあたり、所定位置でのクリック作用を実現して溝Ｍの幅の位置決め手段としている（図１及び図４参照）。
【００１１】
以上の構成よりなるスタンドは、溝Ｍにまな板Ｃの端面を差し込むことによりスタンドとして使用に供される。即ち、この場合はまな板Ｃはその端面とそれに直交して位置するスタンドにより起立状態で自立することとなる（図５及び図６参照）。
【００１２】
図７乃至図１４はこの発明のまな板用スタンドの第２実施例を示す図である。この実施例においては、スタンドをプラスチック製のスタンド基部２０とこのスタンド基部の左右に振り分けられるプラスチック製の一対のスタンド片１０Ａ、１０Ｂに分割すると共に、スタンド基部の中央箇所２１の高さを、それぞれのスタンド片の中央側の端面より下方に位置させることにより、スタンド基部の中央箇所上面によりまないたの端面を挿入するための溝Ｍの底部を、一対のスタンド辺の中央側の端面により溝の左右壁を構成する。
【００１３】
スタンド片１０Ａ（１０Ｂ）は天井板１１Ａ（１１Ｂ）を中央側の端部において垂直に下降させることにより、溝Ｍの左右壁を構成する端面とする。スタンド基部２０は、両側箇所にスタンド片１０Ａ（１０Ｂ）が鞘状に外嵌される。そして、スタンド基部の両側箇所に嵌入突起２３Ａ、２３Ｂを突設すると共に、スタンド片１０Ａ（１０Ｂ）の前後壁の全長方向に長孔１３Ａ（１３Ｂ）を設け、スタンド片の外嵌時にこれらを摺嵌させることにより（図１０参照）、スタンド基部に対し一対のスタンド片を拡縮方向に摺動自在に結合する手段としている。又、ここでは更に、スタンド基部２０の中央箇所の表裏面の全長方向に長溝２を設けると共に、スタンド片１０Ａ（１０Ｂ）の前後壁の裏側に嵌入突起１４Ａ（１４Ｂ）を突設して、スタンド片の外嵌時にこれらも摺嵌させている（図９参照）。
【００１４】
一方、前記のスタンド片１０Ａ（１０Ｂ）の天井部１１Ａ（１１Ｂ）の裏面より波状の凸部１２Ａ（１２Ｂ）を複数個突設すると共に、スタンド基部２０の両側箇所の頂部に上記の凸部を強圧力をもって通過可能な凹部２４Ａ（２４Ｂ）を設けることにより、スタンド基部に対するスタンド片同士の拡縮方向の摺動にあたり所定位置でのクリック作用を実現して、溝Ｍの幅の位置決め手段としている（図７及び図１２参照）。又、ここでは更にスタンド基部２０の中央箇所２１の上面に凹部２２を連続的に設け、摺動するスタンド片１０Ａ（１０Ｂ）の中央側の端面下端が上記の凹部に順次落ち込む構成としている。
【００１５】
図１５乃至図２１はこの発明のまな板用スタンドの第３実施例を示す図である。この実施例においては、スタンドを、プラスチック製のスタンド基部４０と、このスタンド基部の左右に振り分けられるプラスチック製の一対のスタンド片３０Ａ（３０Ｂ）に分割すると共に、スタンド基部の高さをそれぞれのスタンド片の中央側の端面より下方に位置させることにより、スタンド基部の中央箇所上面により溝Ｍの底部を、一対のスタンド辺の中央側の端面により溝の左右壁を構成する。
【００１６】
スタンド片３０Ａ（３０Ｂ）は天井板３１Ａ（３１Ｂ）を中央側の端部において垂直に下降させることにより、溝Ｍの左右壁を構成する端面とする。
【００１７】
スタンド基部４０の上面には複数個の突起４１が碁盤の目状に突設され（図１６参照）、これらの突起同士の間隙にスタンド片３０Ａ（３０Ｂ）の下方に突設される脚部３２Ａ（３２Ｂ）端（図１７参照）を嵌入することにより、一対のスタンド片を任意の拡縮位置においてスタンド基部に結合自在としている（図１５及び図２１参照）。
【００１８】
【発明の効果】
以上の構成よりなるこの発明によれば、まな板はスタンドにより起立状態で自立できるので使用後の効果的な水切り及び乾燥を行うことができ、衛生的なまな板が実現される。又、まないたの端面を挿入するための溝の幅を自由に調整できるので一つのまな板用スタンドで他種類のまな板に対応可能となる。
【図面の簡単な説明】
【図１】この発明のまな板用スタンドの第１実施例の正面図。
【図２】同上、図１のＸ−Ｘ線断面図。
【図３】同上、分解状態の平面図。
【図４】同上、溝を拡大した状態の正面図。
【図５】同上、使用方法を示す正面図。
【図６】同上、使用方法を示す側面図。
【図７】この発明のまな板用スタンドの第２実施例の正断面図。
【図８】同上、正面図。
【図９】同上、図８のＸ−Ｘ線断面図。
【図１０】同上、図８のＹ−Ｙ線断面図。
【図１１】同上、平面図。
【図１２】同上、分解状態の一部切り欠き正面図。
【図１３】同上、分解状態の平面図。
【図１４】同上、溝を拡大した状態の正断面図。
【図１５】この発明のまな板用スタンドの第３実施例の正断面図。
【図１６】同上、スタンド基部の平面図。
【図１７】同上、スタンド片の底面図。
【図１８】同上、正面図。
【図１９】同上、平面図。
【図２０】同上、分解状態の一部切り欠き正面図。
【図２１】同上、溝を拡大した状態の正断面図。
【符号の説明】
Ｍ      溝
１Ａ    スタンド片
１Ｂ    スタンド片
【図１】
2004187740.tif 000003
【図２】
2004187740.tif 000004
【図３】
2004187740.tif 000005
【図４】
2004187740.tif 000006
【図５】
2004187740.tif 000007
【図６】
2004187740.tif 000008
【図７】
2004187740.tif 000009
【図８】
2004187740.tif 000010
【図９】
2004187740.tif 000011
【図１０】
2004187740.tif 000012
【図１１】
2004187740.tif 000013
【図１２】
2004187740.tif 000014
【図１３】
2004187740.tif 000015
【図１４】
2004187740.tif 000016
【図１５】
2004187740.tif 000017
【図１６】
2004187740.tif 000018
【図１７】
2004187740.tif 000019
【図１８】
2004187740.tif 000020
【図１９】
2004187740.tif 000021
【図２０】
2004187740.tif 000022
【図２１】
2004187740.tif 000023